(57)【要約】【課題】  長さの調整が容易に出来かつ、どの長さに調整しても、グリップとヘッドの位置が一定になるゴルフ用パターを提供する目的とする。【解決手段】  ヘッドとシャフトとグリップからなるゴルフ用パターであり、シャフトは外管と内管からなり、内管の外側に溝を掘り、外管の内側に突起を付けその溝に沿ってシャフトを移動させ、任意の位置に固定する固定具を備えることにより、長さが調節できるとともに、グリップとヘッドの位置が常に一定となることを特徴とするゴルフ用パター。  または、ヘッドとシャフトとグリップからなるゴルフ用パターであり、シャフトは外管と内管からなり、外管の内側に溝を掘り、内管の外側に突起を付けその溝に沿ってシャフトを移動させ、任意の位置に固定する固定具を設置することにより、長さが調節できるとともに、グリップとヘッドの位置が常に一定となることを特徴とするゴルフ用パター。【選択図】図１
2005319235.tif 000002
【特許請求の範囲】
【請求項１】
ヘッドとシャフトとグリップからなるゴルフ用パターであり、シャフトは外管と内管とからなり、シャフトの外管の内側に溝を掘り、その溝に合った突起を内管の外側に付け、その溝に沿ってシャフトを移動させ、任意の位置で固定できる固定具を備えることにより、長さが調整できるゴルフ用パター。
【請求項２】
ヘッドとシャフトとグリップからなるゴルフ用パターであり、シャフトは外管と内管とからなり、シャフトの内管の外側に溝を掘り、その溝に合った突起を外管の内側に付け、その溝に沿ってシャフトを移動させ、任意の位置で固定できる固定具を備えることにより、長さが調整できるゴルフ用パター。
【請求項３】
上記内管または外管の溝は任意の数だけ掘ることができ、溝の幅は０．１ｍｍから３０ｍｍまで任意の幅で溝を掘ることができ、外管または内管の内側にその溝に合った突起を付け、その溝に沿ってシャフトを移動させ、任意の位置に固定できる固定具を備えることにより、長さが調整できることを特徴とする請求項１ないし２のゴルフ用パター
【請求項４】
内管のガタつきを防止するために、内管上部に、外管の内径に合ったにリングを取り付けることを特徴とする請求項１ないし２のゴルフ用パター。
【発明の詳細な説明】
【技術分野】
【０００１】  本発明はゴルフ用のパターに関するものであり、ゴルフ競技に使用が可能なゴルフ用パターに関するものである。
【背景技術】
【０００２】
【特許文献１】特開平７−１６３６８３
【非特許文献１】登録実用新案公報３００４３３０
【非特許文献２】登録実用新案公報３０５３０１２
【発明の開示】
【発明が解決しようとする課題】
【０００３】  伸縮自在であり、長さの調整が可能ではゴルフ用パターは開発されてはいるが、常にいつも握るグリップの位置とヘッドが一定の位置にないと言う問題が生じてきており、一般に普及していないのが現状である。【０００４】  本発明はこうした現状に鑑み鋭意研究した結果、長さの調整が容易に出来かつ、どの長さに調整しても、グリップとヘッドの位置が一定になるゴルフ用パターを提供する目的とする。
【課題を解決するための手段】
【０００５】  ヘッドとシャフトとグリップからなるゴルフ用パターであり、シャフトは外管と内管からなり、内管の外側に溝を掘り、外管の内側に突起を付けその溝に沿ってシャフトを移動させ、任意の位置に固定する固定具を備えることにより、長さが調節できるとともに、グリップとヘッドの位置が常に一定となることを特徴とするゴルフ用パター。【０００６】  または、ヘッドとシャフトとグリップからなるゴルフ用パターであり、シャフトは外管と内管からなり、外管の内側に溝を掘り、内管の外側に突起を付けその溝に沿ってシャフトを移動させ、任意の位置に固定する固定具を設置することにより、長さが調節できるとともに、グリップとヘッドの位置が常に一定となることを特徴とするゴルフ用パター。【０００７】  つまり、ヘッドとシャフトとグリップからなるゴルフ用パターであり、シャフトは外管と内管からなり、内管の外側に溝を掘り、外管の内側に突起を付け、その溝に沿ってシャフトを移動させ、または外管の内側に溝を掘り、内管の外側に突起を付けることによりその溝に沿ってシャフトを移動させ、任意の位置に固定する固定具を設置することにより、長さが調節できることを特徴とするゴルフ用パターである。【０００８】  内管の外側に溝を掘り、外管の内側に突起を付け、または、外管の内側に溝を掘り、内管の外側に突起を付け、その溝に沿って内管または外管を移動させて任意の位置で固定する構造にすることにより、グリップに対してシャフトの位置はいつでも一定となり、ひいては握るグリップの位置も一定してくる。またヘッドとシャフトの位置が一定であることにより、グリップは任意の形を取ることができる。【０００９】  従ってヘッドの位置とシャフト、グリップはいかなる長さに調整してもいつも一定の位置となり、プレーヤーは安心して長さの調整を短時間で行うことができる。【００１０】  前記固定具は外管の端部に取り付けられ、その先端はテーパ状となっており、拡縮自由なスリーブと、このスリーブを被せて締めつけることが可能なキャップとから構成されている。
【発明の効果】
【００１１】    本発明は、ゴルフ用パターのシャフトを外管と内管の二重構造にし、内管外側に溝を掘り、外管の内側に突起を付けその内管の溝に沿ってシャフトを移動させることにより、または外管の内側に溝を掘り、内管の外側に突起を付けその溝に沿ってシャフトを移動させることにより、長さを自由に調整することが出来るとともに、ヘッドとシャフトとグリップの位置が、長さを変えてもいつでも一定とすることが出来るようになる。またヘッドとシャフトの位置が一定であることにより、グリップは任意の形を取ることができる。【００１２】    また、固定具の上からさらに幅が２ｃｍ位の片面テープで固定すれば、競技にも使用できるパターとなる。
【実施例】
【００１３】  以下、本発明について実施例を挙げて図面を参照しながら、さらに詳しく説明するが、本発明がそのような実施例の記載によって、何等の制約をも受けるものではないことは、いうまでもないところである。【００１４】  図−１はシャフトの外管を示した図であり、図−２はシャフトの内管を表した図である。図−３は固定具を示し、外管の端部に設けてあり、内管を締め付けることにより、内管を任意の位置で止めることが出来るようになっている。内管の外側に１．５ｍｍの溝を掘り、外管の内側に３．０ｍｍの突起を付け、この溝に沿ってシャフトは自由に移動できるが、溝に突起が合わさる構造のため、シャフト自体は回転しない構造となっていることがわかる。【００１５】  外管はたとえば外径：１６．０ｍｍ  内径：１４．０ｍｍのアルミ管が用いられ、その長さはたとえば５００ｍｍとされる。図−１の（１）は外管に設置された突起を示し、たとえばアルミ管が用いられ、外管の内側に３．０ｍｍの突起を設置し、内管に掘られた溝に合わさられる。【００１６】  内管はたとえば外径：１１．１ｍｍ内径：７．１ｍｍのグラスファイバーが用いられ、その長さはたとえば８１７ｍｍである。図−２の（１）は外側に掘られた溝を示し１．５ｍｍの溝が５０ｍｍの長さで掘られ、外管に設置された突起に合わされる。【００１７】  固定具は図−３で示され、外管の端部に設置され、図−３の（１）はスリーブを示し、スリーブの材質はたとえばテフロン製が用いられ、図−３の（２）はキャップを示し、キャップはたとえば強化プラスチックが用いられる。スリーブの先端はテーパ状とし、そのスリーブにキャップを被せて締め付けることにより、スリーブの先端部分が締め付けられ、縮径しこのスリーブが内管を締め付けることにより、内管が上下に動かないように固定する。【００１８】  図−４の（５）は外径１６．０ｍｍのリングを示し、ヘッド方向を先端、グリップ方向を後方とするならば、内管の後方端部に設置されたこの外径１６．０ｍｍのリングは、この状態で外管の内部に挿入することにより、シャフトのガタつきを防止する役目をなしている。【００１９】  さらにシャフトが競技中に動かないように、キャップの上からテープでさらに固定することにより、競技中にパターの長さに変化が起こらないので、競技用としても使用が可能である。
【図面の簡単な説明】
【００２０】
【図１】シャフトの外管。
【図２】シャフトの内管。
【図３】固定具
【図４】本発明ゴルフ用パターの全体図
【符号の説明】
【００２３】１  シャフトの外管。
２  シャフトの内管。
３  締め付けキャップ。
４  パターのヘッド
５  内管の端部に設置された、がたつき防止用リング
６  シャフト外管に設置された突起
７  シャフト内管に掘られた溝
８  外管の端部に設置される固定具のスリーブ
９  締め付けキャップ
【図１】
2005319235.tif 000003
【図２】
2005319235.tif 000004
【図３】
2005319235.tif 000005
【図４】
2005319235.tif 000006